(57)【要約】【課題】筐体内への機構配置に影響をほとんど与えず、且つ、突出長さの調整が容易である姿勢調整機構を供えたプロジェクタを提供する。【解決手段】プロジェクタ１の姿勢調整機構は、載置面１３と対向する下部外装３の下面３ａに設けられ、下面３ａに対して斜めに形成された内摺動斜面９２６，９２７および外摺動斜面９２８，９２９を有する脚受部９２（図４）と、下面３ａから突出して１３載置面と当接する接地部９１３を有する脚部９１（図４）と、を有し、脚部９１は、内摺動斜面９２６，９２７および外摺動斜面９２８，９２９に沿って移動し、接地部９１３の下面３ａからの突出長さＬを調整する。【選択図】図５
2009134065.tif 000002
【特許請求の範囲】
【請求項１】
光源部から射出された光束を画像信号に応じて変調して投射するための投射装置部を収容する筐体と、前記筐体を載置する載置面に対する前記筐体の傾きを調整して投射方向を変更するための姿勢調整機構と、を備えたプロジェクタであって、
前記姿勢調整機構は、
前記載置面と対向する前記筐体の対向面に設けられ、前記対向面に対して傾斜して形成された摺動斜面を有する脚受部と、
前記対向面から突出して前記載置面と当接する接地部を有する脚部と、を有し、
前記脚部は、前記摺動斜面に沿って移動し、前記接地部の前記対向面からの突出長さを調整することを特徴とするプロジェクタ。
【請求項２】
請求項１に記載のプロジェクタにおいて、
前記脚受部は、
前記摺動斜面に沿って前記筐体に形成された貫通口を有し、
前記摺動斜面は、
前記筐体の外側に形成された第１の摺動斜面と、
前記筐体の内側に形成された第２の摺動斜面と、を有し、
前記脚部は、前記貫通口を貫通して設けられ、
前記第１の摺動斜面に当接する第１の保持部と、
前記第２の摺動斜面に当接する第２の保持部と、を有する保持部によって保持されることを特徴とするプロジェクタ。
【請求項３】
請求項２に記載のプロジェクタにおいて、
前記第２の摺動斜面と前記第２の保持部とは、前記脚部を所定位置へ位置決めするための位置決め部をそれぞれ有することを特徴とするプロジェクタ。
【請求項４】
請求項３に記載のプロジェクタにおいて、
前記第２の保持部は、弾性部材であることを特徴とするプロジェクタ。
【請求項５】
請求項２から４のいずれか一項に記載のプロジェクタにおいて、
前記摺動斜面と前記保持部とは、前記貫通口を挟んで一対に形成されていることを特徴とするプロジェクタ。
【請求項６】
請求項１から５のいずれか一項に記載のプロジェクタにおいて、
前記脚部は、前記脚部を前記摺動斜面に沿って移動させる把持部を有し、
前記把持部は、前記対向面と略平行に前記対向面の外縁まで延在していることを特徴とするプロジェクタ。
【発明の詳細な説明】
【技術分野】
【０００１】
本発明は、筐体の傾きを調整する姿勢調整機構を備えたプロジェクタに関する。
【背景技術】
【０００２】
従来、プロジェクタは、スクリーンの適切な位置へ映像を拡大投射するために、筐体に設けられている脚部の突出長さを手動調節して、投射方向の補正を行っていた。この内、スクリーンの水平方向に対して、投射する映像の傾きを調整するために、突出長さが規定された固定脚部と、突出長さの調整が可能な調整脚部と、を用いて、筐体の傾きを補正する姿勢調整機構が知られている。この場合、調整脚部は、筐体の内部に筒状に形成され、筐体外部と連通した内筒側にねじ山を有するボスと、ボスのねじ山に螺合する軸部および軸部の筐体外部側に設けられた接地部からなる脚部と、を有している。調整脚部は、脚部の接地部を回転させると、回転の方向に応じて軸部がボスの内筒を進退する。従って、接地部の筐体からの突出長さは、接地部の回転に準じて調整される。
【０００３】
さらに、調整脚部のボスの内筒には、略半球形状の突起が形成され、軸部には、突起と係合するための凹部が形成されている。この構成において、軸部が内筒を進退して、突起と凹部とが係合すると、クリック感が生じる。このクリック感が生じた時の接地部の突出長さは、固定脚部の突出量と同一となるように設定されている。そのため、筐体が固定脚部と調整脚部とにより水平な状態に保持されているか否かの判断を、容易に行える。このような調整脚部を備えたプロジェクタは、基準となる水平状態を、即時且つ簡単に再現することが可能である（例えば特許文献１）。
【０００４】
【特許文献１】特開２００５−２３４３０７号公報
【発明の開示】
【発明が解決しようとする課題】
【０００５】
しかし、従来の技術では、プロジェクタを設置した状態のままで、脚部を回転させることは難しく、筐体の脚部側を大きく持ち上げて、脚部をしっかり摘んでから脚部を回転させ、突出長さを調整しなければならない、という課題があった。また、筐体の内部側に筒状のボスが立設されているため、ボスによって、筐体の内部スペースが一部占有されているため、プロジェクタを小型化してモバイル性を向上させる際などに、筐体内の機構配置が制限されてしまう、という課題があった。
【課題を解決するための手段】
【０００６】
本発明は、上記課題の少なくとも一部を解決するためになされたものであり、以下の適用例または形態として実現することが可能である。
【０００７】
［適用例１］本適用例にかかるプロジェクタは、光源部から射出された光束を画像信号に応じて変調して投射するための投射装置部を収容する筐体と、前記筐体を載置する載置面に対する前記筐体の傾きを調整して投射方向を変更するための姿勢調整機構と、を備えていて、前記姿勢調整機構は、前記載置面と対向する前記筐体の対向面に設けられ、前記対向面に対して傾斜して形成された摺動斜面を有する脚受部と、前記対向面から突出して前記載置面と当接する接地部を有する脚部と、を有し、前記脚部は、前記摺動斜面に沿って移動し、前記接地部の前記対向面からの突出長さを調整することを特徴とする。
【０００８】
このプロジェクタによれば、筐体の対向面からの突出長さが調整可能な脚部を有する姿勢調整機構を備えていて、脚部の突出長さを変えることにより、筐体の傾き具合の調整が行える構成である。そのため、プロジェクタは、筐体の傾きに応じて投射方向を自在に変更でき、所望の位置に映像を投射することが可能である。この脚部の突出長さは、脚受部の摺動斜面に沿って脚部が移動することにより、調整される。つまり、摺動斜面は、対向面に対して斜めに形成されており、摺動斜面の斜面各部における対向面からの離反距離がそれぞれ異なっている。このような摺動面に沿って脚部が移動すれば、脚部の接地部は、脚部が位置する摺動斜面の離反距離に準じて、対向面からの突出長さが変わり、所望の突出長さに容易に設定される。この時、脚部の移動の方向は、対向面とほぼ平行であるため、脚部へ対向面とほぼ平行な操作力を付与するだけで良く、筐体を大きく持ち上げて脚部を摘んで回転させるような操作等が不要である。さらに、脚部は、筐体の外面へ突出して移動可能に取り付けられており、脚部を移動させる操作力を容易に付与することが可能である。また、脚受部の摺動斜面は、筐体の外面側である対向面からの最大の離反距離と最少の離反距離との差が、脚部の調整長さと同等以上であれば良い。この条件を満たせば、姿勢調整機構は、対向面と反対の筐体の内面側における構成に制約がほとんどないため、脚部および脚受部が筐体の内面側で占有するスペースを抑制することができ、筐体内への投射装置部の配置にほぼ制限が生じない。
【０００９】
［適用例２］上記適用例にかかるプロジェクタにおいて、前記脚受部は、前記摺動斜面に沿って前記筐体に形成された貫通口を有し、前記摺動斜面は、前記筐体の外側に形成された第１の摺動斜面と、前記筐体の内側に形成された第２の摺動斜面と、を有し、前記脚部は、前記貫通口を貫通して設けられ、前記第１の摺動斜面に当接する第１の保持部と、前記第２の摺動斜面に当接する第２の保持部と、を有する保持部によって保持されることが好ましい。
【００１０】
この構成によれば、筐体の外面側において、脚部の第１の保持部が脚受部の第１の摺動斜面と当接し、さらに、貫通口を介した筐体の内面側において、脚部の第２の保持部が脚受部の第２の摺動斜面と当接している。このように、脚部は、筐体の内外に設けられた第１および第２の摺動斜面を挟持するようにして当接しており、安定した状態に保持される。この場合、第１の保持部と第１の摺動斜面とが、互いに当接してプロジェクタの重量を支えている。また、脚部が安定して保持されているため、脚部を移動させる操作力が付与されると、第１の保持部と第１の摺動斜面および第２の保持部と第２の摺動斜面とが、軋むことなくスムーズに摺動する。そして、第１の摺動斜面と第２の摺動斜面との間隔を短く設定すれば、第２の摺動斜面が筐体の内面側に突起して占有するスペースを、極小に設定することが可能である。
【００１１】
［適用例３］上記適用例にかかるプロジェクタにおいて、前記第２の摺動斜面と前記第２の保持部とは、前記脚部を所定位置へ位置決めするための位置決め部をそれぞれ有することが好ましい。
【００１２】
この構成によれば、脚部が移動して、第２の摺動斜面および第２の保持部のそれぞれの位置決め部が係合すれば、その係合位置が予め設定した所定位置であると、容易に判断することが可能である。所定位置における脚部は、所定の突出長さに設定されている。姿勢調整機構は、位置決め部を有することにより、脚部の突出長さを調整してプロジェクタを使用した後であっても、第２の摺動斜面と第２の保持部とが係合するように、脚部が移動すれば、プロジェクタを一定の姿勢に戻すことが容易である。
【００１３】
［適用例４］上記適用例にかかるプロジェクタにおいて、前記第２の保持部は、弾性部材であることが好ましい。
【００１４】
この構成によれば、脚部の第２の保持部は、弾性を有していて、第２の摺動斜面へ押圧を付与して当接している。そして、第２の保持部は、第１の摺動斜面と当接している第１の保持部と協働して、第１および第２の摺動斜面をほぼ一定の押圧力でもって挟持する。これにより、脚部は、脚部を移動させる操作力が付与されると、第２の保持部の弾性によって、挟持する第１および第２の摺動斜面とのバランスをとりつつ摺動し、滑らかに移動することが可能である。
【００１５】
［適用例５］上記適用例にかかるプロジェクタにおいて、前記摺動斜面と前記保持部とは、前記貫通口を挟んで一対に形成されていることが好ましい。
【００１６】
この構成によれば、第１の保持部と第１の摺動斜面とが当接し、さらに、第２の保持部と第２の摺動斜面とが当接して、脚部を脚受部に保持する構成が、貫通口の両側にそれぞれ形成されている。貫通口を貫通して設けられている脚部は、貫通口の両側からバランス良く保持されることにより、脚部の移動時において、脚受部や貫通口に対して一定の姿勢を保つことが可能である。そのため、脚部は、脚受部や貫通口とのバランスをとりつつ、より滑らかに且つ安定して移動することが可能である。
【００１７】
［適用例６］上記適用例にかかるプロジェクタにおいて、前記脚部は、前記脚部を前記摺動斜面に沿って移動させる把持部を有し、前記把持部は、前記対向面と略平行に前記対向面の外縁まで延在していることが好ましい。
【００１８】
この構成によれば、脚部を移動させる場合に、移動させるための操作力は、把持部へ付与すれば良い。把持部は、対向面の外縁にまで延在しており、把持部の外縁部へ操作力を付与する操作は、筐体の形状等によって影響を受けることがない。そのため、脚部へ操作力を確実に付与することができ、これにより、脚部は、容易に移動することが可能である。また、把持部は、対向面の外縁に位置しており、プロジェクタの姿勢に関わらず、視認し易いため、脚受部に対する脚部の位置が所定位置であるか否か、の判断が容易に行える。
【発明を実施するための最良の形態】
【００１９】
以下、プロジェクタの具体的な実施形態について図面に従って説明する。本実施形態のプロジェクタは、光源部から射出された光束を画像信号に応じて変調して投射するための投射装置部等の機構部を収容する筐体を備え、筐体の姿勢の傾きを調整するための姿勢調整機構の構成に特徴を有している。
（実施形態）
【００２０】
図１（ａ）は、本実施形態にかかるプロジェクタを正面上方から見た斜視図であり、図１（ｂ）は、プロジェクタを正面下方から見た斜視図である。図１に示すように、プロジェクタ１は、略直方体形状の外観をなしていて、プロジェクタ１の機構部を収容する筐体である上部外装２と、下部外装３と、を有している。上部外装２は、プロジェクタ１の上部側に配置され、上面、正面、背面、右側面および左側面を形成している。上部外装２の上面には、背面側左方に位置し、光源部のランプを交換するために開閉可能な光源蓋２ａと、上面の略中央部に位置し、プロジェクタ１を操作するための操作ボタン類を有する操作部２ｂと、正面側右方にあって開閉取っ手１０ａにより開閉自在にスライドして、開状態において投射部４５からの光束の投射を可能にし、閉状態において塵埃等の投射部４５への付着を防止するための投射部カバー１０と、が設けられている。
【００２１】
そして、下部外装３は、プロジェクタ１の正面、右側面、左側面、背面および下面を形成している。下部外装３の下面（対向面）３ａには、投射部４５の直下に、機構部を冷却する冷却空気を筐体の内部へ取り入れるための吸気口５が設けられ、左側面には、機構部を冷却した冷却空気を排気するための排気口６が設けられている。さらに、下面３ａには、正面側中央に位置し、筐体の正面と背面とを結ぶ方向の傾きを調整して、投射部４５から投射される光束の上下方向の煽りを調整する上下調整脚部７と、背面側右方に位置し、下面３ａから所定の長さだけ突起している固定脚部８と、背面側左方に位置し、筐体の左右方向の傾きを調整して、投射部４５から投射される光束の水平方向の傾きを調整する水平調整脚部９と、が設けられている。プロジェクタ１では、この水平調整脚部９が姿勢調整機構として機能し、固定脚部８と協働することによりプロジェクタ１の水平方向の傾きを調整する。また、下面３ａの正面右側には、プロジェクタ１を無線制御するリモコンに対応する受信部１１が設けられている。このプロジェクタ１は、光束が投射されるスクリーン等を見る側と同じ側に設置されるいわゆるフロントタイプのものである。
【００２２】
次に、筐体の内部に収容されている機構部について説明する。図２は、プロジェクタの機構部の構成を示す斜視図である。図２に示すように、プロジェクタ１の機構部は、吸気口５（図１）から冷却空気を吸引して取り入れるための吸気ファン１５と、吸気ファン１５が取り込んだ冷却空気を機構部へ導くためのダクト１７と、吸気ファン１５に隣接し光束を投射する投射部４５と、下部外装３の正面左方にあって一端が排気口６（６ｂ）と対向して位置する電源部１８と、電源部１８の背面側に排気口６（６ａ）に対して斜めに対向して位置する排気ユニット１６と、を有している。さらに、機構部は、排気ユニット１６から投射部４５にかけて上面側から見て略Ｌ字状に配置された光学ユニット（投射装置部）４（４１，４２，４３，４４，４５）と、光学ユニット４の上方に設けられた回路基板２０と、回路基板２０の背面側に設けられ、外部機器とプロジェクタ１とを接続するための数種の端子を有するコネクタ部２１と、スピーカ１９と、を有している。
【００２３】
プロジェクタ１の機構部の主部である光学ユニット４は、排気ユニット１６の近傍にあり光源部を有するインテグレータ照明部４１と、色分離部４２と、リレー光学部４３と、３枚の液晶パネル（不図示）を光学変調素子として有する光学変調部４４と、光学変調部４４に接続されている投射部４５と、で構成されている。このような構成の光学ユニット４は、略Ｌ字状の支持体に収容されて、下部外装３の内側の底面３ｂ（図４）に載置されている。
【００２４】
ここで、光学ユニット４の機能について、簡単に説明する。インテグレータ照明部４１は、光源部の光源ランプから光束を射出し、光学変調部４４において、赤、緑、青の色光にそれぞれ対応して設けられている３枚の液晶パネルの画像形成領域を、光束がほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部４５の投射レンズによって拡大して投射され、スクリーンに映像として映し出される。
【００２５】
プロジェクタ１は、上下調整脚部７、水平調整脚部９によって光学ユニット４の投射部４５から投射されるカラー画像を、スクリーンの適切な位置に調整する。上下調整脚部７を上下に移動させることにより煽り方向の調整を行い、水平調整脚部９によって画像の水平方向の傾きを調整する。以下では、プロジェクタ１の画像の水平方向の傾きを調整する姿勢調整機構の例である水平調整脚部９について説明する。図３は、水平調整脚部の突出長さの調整量を示す正面図である。図３に示すように、プロジェクタ１は、机上等の載置面１３に設置されており、下部外装３の下面３ａから突出する水平調整脚部９の突出長さＬを変えることによって、プロジェクタ１の水平方向の傾きを調整できるようになっている。図３は、水平調整脚部９の突出長さＬが、固定脚部８（図１）の固定された突出長さＬ１と同値に調整されている場合を示している。載置面１３が水平であれば、プロジェクタ１は、載置面１３に対して左右方向の傾きがなくなるため、突出長さＬ１となる水平調整脚部９の位置を基準位置とする。
【００２６】
この状態から水平調整脚部９の突出長さＬを調整して、突出長さＬ１より最も短い突出長さＬ２にすれば、プロジェクタ１は、載置面１３に対して、水平調整脚部９の側を固定脚部８の側より低くして傾く。一方、水平調整脚部９の突出長さＬを、突出長さＬ１より最も長い突出長さＬ３にすれば、プロジェクタ１は、載置面１３に対して、水平調整脚部９の側を固定脚部８の側より高くして傾く。つまり、水平調整脚部９は、突出長さＬ２から突出長さＬ３までの範囲において、無段階に調整できる。そのため、プロジェクタ１は、左右方向の傾きをきめ細かく調整して、投射部４５から投射される光束の水平方向の傾きを精緻に調整することができる。
【００２７】
次に、水平調整脚部９について、さらに詳細に説明する。図４は、水平調整脚部の組立構成を示す斜視図である。また、図５（ａ）は、脚部の構成を示す断面図、図５（ｂ）は、摺動腕部の機能を示す断面図である。水平調整脚部９は、図４に示すように、脚部９１と、脚受部９２と、弾性部材としての板ばね９３と、を有している。
【００２８】
まず、脚部９１の構成について説明する。脚部９１は、略楕円柱の形状をなす脚本体９１２と、略楕円の長軸方向の長さとほぼ同じ幅で脚本体９１２の一端側に設けられ、略楕円柱と直交して脚本体９１２の両側方向へ延在し、長く延在した側の先端部が脚本体９１２の他の端面側へＬ字状に折れ曲がった形状をなす把持部９１０と、脚本体９１２の他の端面の中央部に形成されたねじ固定穴９１５と、ねじ固定穴９１５に対して長軸方向の両側にそれぞれ立設された位置決め突起９１４と、を有している。この脚部９１は、把持部９１０の側が下面３ａに対して外部側に位置し、Ｌ字状部が脚本体９１２に対して下面３ａの外縁側に位置するように脚受部９２へ取り付けられる。また、把持部９１０の脚本体９１２近傍の両側部は、脚受部９２と当接して摺動するための脚摺動面（第１の保持部）９１１である。さらに、脚部９１は、脚本体９１２が把持部９１０を貫通しており、貫通した部分には、載置面１３と当接するための接地部９１３（図５（ａ））が略半球状をなして設けられている。
【００２９】
次に、脚受部９２は、下部外装３の底面３ｂから下面３ａの方向へ底面３ｂに対して傾斜した長方形の斜面であって、長方形の長辺が下部外装３の正面と背面を結ぶ方向に形成された斜面部９２０と、底面３ｂの内方向側に位置する長辺に沿って立設され、先端に斜面部９２０と同じ傾きの内摺動斜面（第２の摺動斜面）９２６を有する立設部９２１と、他方の長辺に沿って立設部９２１と同じ高さに立設され、先端に斜面部９２０と同じ傾きの内摺動斜面（第２の摺動斜面）９２７を有する立設部９２２と、立設部９２１と立設部９２２との間の斜面部９２０に形成された長楕円形の貫通口９２５と、を有している。この場合、内摺動斜面９２６，９２７は、下面３ａを構成する。
【００３０】
また、立設部９２１の下面３ａ側の斜面は、内摺動斜面９２６と同じ傾きの外摺動斜面（第１の摺動斜面）９２８（図５（ａ））であり、立設部９２２の下面３ａ側の斜面は、内摺動斜面９２７と同じ傾きの外摺動斜面（第１の摺動斜面）９２９（図６（ｂ））である。さらに、内摺動斜面９２６，９２７には、脚部９１の位置決めをするための凹部（位置決め部）９２３，９２４がそれぞれ設けられている。
【００３１】
そして、板ばね９３は、基部９３０と、基部９３０から内摺動斜面９２６と重なり合うように延びた摺動腕部（第２の保持部）９３１と、同じく基部９３０から内摺動斜面９２７と重なり合うように延びた摺動腕部（第２の保持部）９３２と、を有している。また、基部９３０は、脚部９１のねじ固定穴９１５が形成された面へ基部９３０を固定する止めねじ９１６を挿入するための止めねじ孔９３５と、脚部９１の位置決め突起９１４と係合し板ばね９３の位置決めをするための位置決め孔９３６と、摺動腕部９３１に設けられ内摺動斜面９２６の凹部９２３と係合するＶ字状部（位置決め部）９３３と、摺動腕部９３２に設けられ内摺動斜面９２７の凹部９２４と係合するＶ字状部（位置決め部）９３４と、を有している。
【００３２】
次に、このような構成の水平調整脚部９の組立について説明する。最初に、脚部９１の脚本体９１２を下面３ａ側から貫通口９２５へ挿入する。この時、把持部９１０は、Ｌ字状部が下面３ａの外縁側に位置し、把持し易いような配置になっている。次いで、板ばね９３の位置決め孔９３６へ脚本体９１２の位置決め突起９１４を挿入し、止めねじ９１６によって板ばね９３を固定する。この時、摺動腕部９３１が内摺動斜面９２６に重なる配置ではなく、内摺動斜面９２７に重なるように板ばね９３を位置決めしても、Ｖ字状部９３３が凹部９２４と係合するように、Ｖ字状部９３３，９３４および凹部９２３，９２４が形成されている。また、これらＶ字状部９３３，９３４は、凹部９２３，９２４とそれぞれ同時に係合し、係合した位置において、脚部９１が突出長さＬ１（図５（ａ））であるように配置されている。
【００３３】
板ばね９３が脚本体９１２へ取り付けられると、板ばね９３の摺動腕部９３１が立設部９２１の内摺動斜面９２６と当接し、脚本体９１２の脚摺動面９１１が立設部９２１の外摺動斜面９２８（図５）と当接して、立設部９２１を挟持する。同様に、摺動腕部９３２と脚摺動面９１１とが立設部９２２を挟持する。これにより、脚部９１は、摺動腕部９３１，９３２の弾性によって、両側がバランス良く保持されて脚受部９２に取り付けられ、内摺動斜面９２６，９２７および外摺動斜面９２８，９２９に沿って安定した状態で移動することができる。この状態における立設部９２１と、立設部９２１を挟持する脚部９１との詳細な構成を示す断面が、図５（ａ）に示されている。
【００３４】
図５（ａ）に示すように、脚部９１（図４）の脚本体９１２は、下面３ａに対して直角方向へ突出している。一方、脚摺動面９１１と板ばね９３（図４）の基部９３０を固定するための端面とは、下面３ａに対して傾きをなす立設部９２１の外摺動斜面９２８および内摺動斜面９２６と同じ傾きである。なお、立設部９２２（図４）と脚部９１との関係も同様である。このような構成の脚部９１は、立設部９２１，９２２に沿ってスムーズに移動できると共に、移動したいずれの位置においても、下面３ａから常に直角に突出しているため、プロジェクタ１を強度的に十分支持できることに加え、外観上の安定感も有している。さらに、脚部９１および脚受部９２は、水平調整脚部９として、下部外装３の底面３ｂ方向への張り出し量を抑制した構成であり、光学ユニット４等の機構部の配置に影響をほとんど及ぼすことがない。
【００３５】
次に、脚部９１を突出長さＬ１となる所定位置へ位置決めするための構成について、図５（ｂ）に示す立設部９２１と、摺動腕部９３１と、を例にして説明する。図５（ｂ）の断面図は、立設部９２１の凹部９２３へ、摺動腕部９３１のＶ字状部９３３が係合した状態を示している。ここで、摺動腕部９３１の断面部９３７は、摺動腕部９３１が基部９３０と繋がっている部分を示していて、断面部９３７から腕状に延びた摺動腕部９３１は、ばね性を有し、立設部９２１へ押圧を付与している。従って、摺動腕部９３１のＶ字状部９３３が凹部９２３に係合すると、その位置でクリック感が生じ、突出長さＬ１の所定位置であるとの判断が容易に行えるようになっている。また、脚部９１が所定位置から移動すると、Ｖ字状部９３３は、凹部９２３との係合状態から外れて、Ｖ字の先端部が立設部９２１と当接しつつ移動する。この時の摺動腕部９３１が二点鎖線で表されている。
【００３６】
以上説明した構成の水平調整脚部９により調整されたプロジェクタ１の姿勢について、次に説明する。まず、水平調整脚部９が規定の突出長さＬ１である場合について説明する。図６（ａ）は、水平な載置面１３に載置されたプロジェクタを示す正面図、図６（ｂ）は、所定位置の水平調整脚部を示す斜視図である。図６（ａ）に示しているプロジェクタ１は、水平調整脚部９の接地部９１３が突出長さＬ１の場合であって、下面３ａと載置面１３とが平行に保持されて、基準となるべき水平状態に載置されている。即ち、プロジェクタ１は、図３および図５に示す状態である。
【００３７】
水平調整脚部９の調整において、例えば、接地部９１３が突出長さＬ１以外に調整されたままのプロジェクタ１を水平状態にする場合について説明する。この場合、把持部９１０をプロジェクタ１の正面方向または背面方向へ操作する。把持部９１０の操作により、図５（ａ）に示すように、接地部９１３が突出長さＬ１となる位置の方向へ、脚本体９１２が内摺動斜面９２６および外摺動斜面９２８に沿って移動し、図５（ｂ）に示すように、摺動腕部９３１のＶ字状部９３３が凹部９２３に係合して、クリック感が生じた位置において、接地部９１３が突出長さＬ１となる。なお、同時に、脚本体９１２が内摺動斜面９２７（図４）および外摺動斜面９２９（図６（ｂ））に沿って移動し、摺動腕部９３２のＶ字状部９３４も凹部９２４に係合している。これにより、水平調整脚部９の接地部９１３を突出長さＬ１に設定して、載置面１３と当接させることができる。
【００３８】
このように把持部９１０を操作する際に、把持部９１０が下部外装３の外縁まで延在しているため、下部外装３を持ち上げたりせずに、把持する把持部９１０を視認できる。そのため、外部から、即、把持部９１０を摘んで操作でき、接地部９１３の移動を迅速に行える。また、把持部９１０の位置は、プロジェクタ１が載置面１３に載置されている状態において、容易に確認することができる。また、水平調整脚部９が突出長さＬ１であるか否かについて、見ただけで概略の判断をすることができる。
【００３９】
次に、水平調整脚部９において、接地部９１３の突出長さＬを、突出長さＬ１以外へ変更する場合について説明する。図７（ａ）は、水平調整脚部の突出長さを短くして載置したプロジェクタを示す正面図、図７（ｂ）は、突出長さを短くした水平調整脚部９を示す斜視図である。図７（ａ）において、載置面１４ａは、左側に傾斜した面となっている。水平調整脚部９は、図６（ａ）の状態に比べて、上部外装２および下部外装３の左側面の側を、載置面１４ａへさらに近づけた状態にして、プロジェクタ１の水平方向の傾きを調整する場合を示している。この場合、プロジェクタ１は、固定脚部８が突出長さＬ１のままであるが、水平調整脚部９の脚部９１が突出長さＬ２であり、固定脚部８の突出長さＬ１より短くなっている。従って、プロジェクタ１は、載置面１４ａが傾斜していても、左側面の側が固定脚部８より低くすることにより水平状態とすることができる。
【００４０】
水平調整脚部９の調整において、接地部９１３の突出長さＬを、例えば、図６に示す突出長さＬ１の状態から図７に示す突出長さＬ２へ変更する場合について説明する。この場合、まず、把持部９１０を、プロジェクタ１の投射方向へ移動させる。把持部９１０の移動に伴い、図５（ａ）に示す脚本体９１２が、内摺動斜面９２６および外摺動斜面９２８に沿って、突出長さＬが短くなる下部外装３の底面３ｂ方向へ移動する。この時、図５（ｂ）の二点鎖線で示すように、摺動腕部９３１のＶ字状部９３３が凹部９２３との係合から外れて、立設部９２１に沿って移動する。なお、同時に、脚本体９１２が内摺動斜面９２７（図４）および外摺動斜面９２９（図７（ｂ））に沿って、突出長さＬが短くなる下部外装３の底面３ｂ方向へ移動し、摺動腕部９３２のＶ字状部９３４も凹部９２４との係合から外れる。これにより、接地部９１３は、突出長さＬ１より短い任意の長さに調整される。
【００４１】
そして、脚本体９１２が貫通口９２５の正面側端部に当接するまで、把持部９１０を移動させれば、その位置において、接地部９１３は、突出長さＬ２となる。このように、接地部９１３の突出長さＬを、突出長さＬ１から突出長さＬ２へ任意の長さに変更することにより、プロジェクタ１は、水平方向の傾きが調整され、投射部４５から投射されるカラー画像を、スクリーンの水平方向と合致させて、拡大投射できる。
【００４２】
同様に、水平調整脚部９において、接地部９１３の突出長さＬを、突出長さＬ１またはＬ２からさらに長い突出長さＬ３へ変更する場合について説明する。図８（ａ）は、水平調整脚部の突出長さを長くして載置したプロジェクタを示す正面図、図８（ｂ）は、突出長さを長くした水平調整脚部を示す斜視図である。図８（ａ）において、載置面１４ｂは、右側に傾斜した面となっている。水平調整脚部９は、図６（ａ）の状態に比べて、上部外装２および下部外装３の左側面の側を、載置面１４ｂからさらに離した状態にして、プロジェクタ１の水平方向の傾きを調整する場合を示している。この場合、プロジェクタ１は、固定脚部８が突出長さＬ１のままであるが、水平調整脚部９の脚部９１が突出長さＬ３であり、固定脚部８の突出長さＬ１より長くなっている。従って、プロジェクタ１は、載置面１４ｂが傾斜していても、左側面の側が固定脚部８より高くすることにより水平状態とすることができる。
【００４３】
このように、水平調整脚部９を調整する場合、まず、把持部９１０を、プロジェクタ１の背面方向へ移動させる。把持部９１０の移動に伴い、図５（ａ）に示す脚本体９１２が、内摺動斜面９２６および外摺動斜面９２８に沿って、突出長さＬが長くなる下部外装３の下面３ａ方向へ移動する。なお、同時に、脚本体９１２が内摺動斜面９２７（図４）および外摺動斜面９２９（図８（ｂ））に沿って、突出長さＬが長くなる下部外装３の底面３ｂ方向へ移動する。これにより、接地部９１３は、突出長さＬ１より長い任意の長さに調整される。
【００４４】
そして、脚本体９１２が貫通口９２５の背面側端部に当接するまで、把持部９１０を移動させれば、その位置において、接地部９１３は、突出長さＬ３となる。このように、接地部９１３の突出長さＬを、突出長さＬ１またはＬ２から突出長さＬ３へ任意の長さに変更することにより、プロジェクタ１は、水平方向の傾きを、図７に示す方向と異なる方向へ調整でき、投射部４５から投射されるカラー画像を、スクリーンの水平方向と合致させて、拡大投射できる。
【００４５】
以下、実施形態の主な効果をまとめて記載する。
【００４６】
プロジェクタ１は、水平調整脚部９の脚部９１が、下部外装３に設けられた脚受部９２の内摺動斜面９２６，９２７および外摺動斜面９２８，９２９に沿って移動することにより、脚部９１が位置する斜面に応じて、脚部９１の下部外装３の下面３ａからの突出長さＬを自在に調節できる。脚部９１の移動は、脚部９１へ下面３ａとほぼ平行な操作力を付与するだけで良く、プロジェクタ１を大きく持ち上げる必要がないため、容易に行える。
【００４７】
また、脚受部９２は、下部外装３の底面３ｂ側へは、張り出しておらず、下部外装３への光学ユニット４等の配置をほとんど制限しない構成である。そして、脚部９１は、下面３ａの外縁にまで延在して視認しやすい把持部９１０を有していて、下部外装３の形状等の影響を受けることなく、脚部９１へ操作力を容易に付与できるようになっている。さらに、脚部９１は、板ばね９３の弾性によって、脚受部９２の内摺動斜面９２６，９２７および外摺動斜面９２８，９２９をバランス良く挟持しているため、滑らかに摺動して、スムーズに移動することができる。
【００４８】
また、水平調整脚部９は、脚部９１の移動により、プロジェクタ１が基準となる水平位置になると、板ばね９３のＶ字状部９３３，９３４と脚受部９２の凹部９２３，９２４とが係合する構成であり、係合するとクリック感が生じる。これにより、プロジェクタ１が基準となる水平位置に調整されたことを、確実に判断することができる。
【００４９】
また、プロジェクタ１は上記の実施形態に限定されるものではなく、次に挙げる変形例のような形態であっても、実施形態と同様な効果が得られる。
【００５０】
立設部９２１，９２２の内摺動斜面９２６，９２７および外摺動斜面９２８，９２９と斜面部９２０とは、プロジェクタ１の背面側が下面３ａの方向へ突出した斜面構成であるが、これに限定されるものではなく、プロジェクタ１の正面側が下面３ａの方向へ突出した斜面構成であっても良い。斜面の傾斜方向に関わらず、脚部９１の調整が同様に行える。
【００５１】
また、立設部９２１，９２２および斜面部９２０の形成されている方向は、プロジェクタ１の正面と背面とを結ぶ方向に沿っているが、立設部９２１，９２２および斜面部９２０がプロジェクタ１の右側面と左側面とを結ぶ方向等に沿って形成された構成であっても良い。いずれの構成であっても、脚部９１の調整が同様に行える。
【００５２】
また、水平調整脚部９と協働してプロジェクタ１の水平方向の姿勢を保持する固定脚部８は、突出長さＬ１に固定された構成であるが、水平調整脚部９と同じ構成を有し、突出長さＬが調整可能であっても良い。こうすれば、プロジェクタ１の水平方向の傾きを、より大きく調整することができる。
【００５３】
プロジェクタ１は、光学変調部４４として液晶パネルを用いているが、液晶パネル以外のマイクロミラー等のデバイスを用いても良い。この対応により、水平調整脚部９は、種々の光学変調部を有するプロジェクタにも備えることが可能となる。
【図面の簡単な説明】
【００５４】
【図１】（ａ）本実施形態にかかるプロジェクタを正面上方から見た斜視図、（ｂ）プロジェクタを正面下方から見た斜視図。
【図２】プロジェクタの機構部の構成を示す斜視図。
【図３】水平調整脚部の突出長さの調整量を示す正面図。
【図４】水平調整脚部の組立構成を示す斜視図。
【図５】（ａ）脚部の構成を示す断面図、（ｂ）摺動腕部の機能を示す断面図。
【図６】（ａ）水平に載置されたプロジェクタを示す正面図、（ｂ）所定位置の水平調整脚部を示す斜視図。
【図７】（ａ）水平調整脚部の突出長さを短くして載置したプロジェクタを示す正面図、（ｂ）突出長さを短くした水平調整脚部を示す斜視図。
【図８】（ａ）水平調整脚部の突出長さを長くして載置したプロジェクタを示す正面図、（ｂ）突出長さを長くした水平調整脚部を示す斜視図。
【符号の説明】
【００５５】
１…プロジェクタ、２…上部外装、３…下部外装、３ａ…下面、３ｂ…底面、４…光学ユニット、７…上下調整脚部、８…固定脚部、９…水平調整脚部、１３…載置面、１４ａ，１４ｂ…載置面、９１…脚部、９２…脚受部、９３…板ばね、９１０…把持部、９１１…脚摺動面、９１２…脚本体、９１３…接地部、９１４…位置決め突起、９１５…ねじ固定穴、９１６…止めねじ、９２０…斜面部、９２１，９２２…立設部、９２３，９２４…凹部、９２５…貫通口、９２６，９２７…内摺動斜面、９２８，９２９…外摺動斜面、９３０…基部、９３１，９３２…摺動腕部、９３３，９３４…Ｖ字状部、９３５…止めねじ孔、９３６…位置決め孔、Ｌ…突出長さ。
【図１】
2009134065.tif 000003
【図２】
2009134065.tif 000004
【図３】
2009134065.tif 000005
【図４】
2009134065.tif 000006
【図５】
2009134065.tif 000007
【図６】
2009134065.tif 000008
【図７】
2009134065.tif 000009
【図８】
2009134065.tif 000010